(57)【要約】【課題】装置後方に傾斜姿勢で設けられたスタッカが正常な設置状態に無い状態のまま記録動作が実行されることを防止して、適切な記録実行結果を得る様にすること。【解決手段】排紙スタッカを傾斜姿勢にロックするロック装置は、突起６１３の側面６１３ａが被係合面６３４ｂに圧接することで排紙スタッカをロックする。ロック状態において排紙スタッカが垂直姿勢となる方向に外力を付与すると、外力の臨界点以下では、側面６１３ａと被係合面６３４ｂとの間の係合状態が変化せず排紙スタッカの傾斜角度が一定に維持され、外力が臨界点を超えると、側面６１３ａと被係合面６３４ｂとの間の係合状態が係合解除音とともに解除されて、排紙スタッカのロックが解除される様に、側面６１３ａと被係合面６３４ｂとが所定の角度αを有している。【選択図】        図１０
2004307144.tif 000002
【特許請求の範囲】
【請求項１】
被記録媒体を傾斜姿勢に支持する揺動可能な被記録媒体スタッカの傾斜角度を一定に保持する様に、前記被記録媒体スタッカをロックするロック装置であって、
前記被記録媒体スタッカを傾斜姿勢に支持する支持手段と、
前記被記録媒体スタッカの側面から出没自在に設けられるとともに、付勢手段によって前記被記録媒体スタッカの側面から突出する方向に付勢される突起と、
前記被記録媒体スタッカの側面と対向する位置に設けられ、前記被記録媒体スタッカの非ロック状態において前記突起の先端が圧接するとともに、前記被記録媒体スタッカの揺動動作に伴って前記突起の先端が摺動する摺動面と、
前記摺動面と交差する面であり、被記録媒体スタッカのロック状態において前記被記録媒体スタッカが垂直姿勢となる方向に前記被記録媒体スタッカに外力を付与した際に、前記突起の側面が圧接する被係合面と、を備え、
前記非ロック状態にある前記被記録媒体スタッカをその傾斜角度が緩やかになる方向に揺動させると、前記被記録媒体スタッカが前記支持手段によって支持された状態となり、且つ前記突起の先端が前記摺動面から外れて前記被記録媒体スタッカの側面から突出するとともに前記被係合面と係合し、これによって前記被記録媒体スタッカが前記ロック状態となる様に構成され、
前記ロック状態において前記被記録媒体スタッカが垂直姿勢となる方向に前記被記録媒体スタッカに外力を付与する際に、前記外力の臨界点以下では、前記突起の側面と前記被係合面との間の係合状態が変化せず前記被記録媒体スタッカの傾斜角度が一定に維持され、
前記外力が臨界点を超えると、前記突起の側面と前記被係合面との間の係合状態が解除されるとともに係合解除音が発生する様に構成されている、
ことを特徴とするロック装置。
【請求項２】
請求項１において、前記被係合面が、前記突起の側面に対し、前記突起の側面に交差する様な傾斜面によって形成されている、
ことを特徴とするロック装置。
【請求項３】
請求項１または２において、前記被記録媒体スタッカが、記録が行われて斜め上方に排出される被記録媒体を傾斜姿勢に支持する着脱可能なスタッカである、
ことを特徴とするロック装置。
【請求項４】
被記録媒体に記録を行う記録ヘッドと、
該記録ヘッドの上流側に設けられ、該記録ヘッドへ被記録媒体を搬送する被記録媒体搬送手段と、
前記記録ヘッドの下流側に設けられ、前記記録ヘッドによって記録の行われた被記録媒体を斜め上方に排出する被記録媒体排出手段と、
該被記録媒体排出手段によって斜め上方に排出される被記録媒体を傾斜姿勢に支持する揺動可能な被記録媒体スタッカと、
該被記録媒体スタッカを傾斜姿勢に保持するロック装置と、を備えた記録装置であって、
前記ロック装置が、請求項１または２に記載の前記ロック装置である、
ことを特徴とする記録装置。
【請求項５】
請求項４において、前記記録ヘッドが、被記録媒体にインク滴を吐出するインクジェット記録ヘッドであり、
該インクジェット記録ヘッドの下流側に、第１面に記録の行われた被記録媒体を湾曲反転させることにより、前記第１面とは反対側の第２面が前記記録ヘッドと対向する様に被記録媒体を前記被記録媒体搬送手段の上流側に再び案内する被記録媒体反転装置を備えている、
ことを特徴とする記録装置。
【請求項６】
被噴射媒体に液体噴射を行う液体噴射ヘッドと、
該液体噴射ヘッドの上流側に設けられ、該液体噴射ヘッドへ被噴射媒体を搬送する被噴射媒体搬送手段と、
前記液体噴射ヘッドの下流側に設けられ、前記液体噴射ヘッドによって液体噴射の行われた被噴射媒体を斜め上方に排出する被噴射媒体排出手段と、
該被噴射媒体排出手段によって斜め上方に排出される被噴射媒体を傾斜姿勢に支持する揺動可能な被噴射媒体スタッカと、
該被噴射媒体スタッカの傾斜角度を一定に保持する様に、前記被噴射媒体スタッカをロックするロック装置と、を備えた液体噴射装置であって、
前記ロック装置が、前記被噴射媒体スタッカを傾斜姿勢に支持する支持手段と、
前記被噴射媒体スタッカの側面から出没自在に設けられるとともに、付勢手段によって前記被噴射媒体スタッカの側面から突出する方向に付勢される突起と、
前記被噴射媒体スタッカの側面と対向する位置に設けられ、前記被噴射媒体スタッカの非ロック状態において前記突起の先端が圧接するとともに、前記被噴射媒体スタッカの揺動動作に伴って前記突起の先端が摺動する摺動面と、
前記摺動面と交差する面であり、被噴射媒体スタッカのロック状態において前記被噴射媒体スタッカが垂直姿勢となる方向に前記被噴射媒体スタッカに外力を付与した際に、前記突起の側面が圧接する被係合面と、を備え、
前記非ロック状態にある前記被噴射媒体スタッカをその傾斜角度が緩やかになる方向に揺動させると、前記被噴射媒体スタッカが前記支持手段によって支持された状態となり、且つ前記突起の先端が前記摺動面から外れて前記被噴射媒体スタッカの側面から突出するとともに前記被係合面と係合し、これによって前記被噴射媒体スタッカが前記ロック状態となる様に構成され、
前記ロック状態において前記被噴射媒体スタッカが垂直姿勢となる方向に前記被噴射媒体スタッカに外力を付与する際に、前記外力の臨界点以下では、前記突起の側面と前記被係合面との間の係合状態が変化せず前記被噴射媒体スタッカの傾斜角度が一定に維持され、
前記外力が臨界点を超えると、前記突起の側面と前記被係合面との間の係合状態が解除されるとともに係合解除音が発生する様に構成されている、
ことを特徴とする液体噴射装置。
【発明の詳細な説明】
【０００１】
【発明の属する技術分野】
本発明は、被記録媒体を傾斜姿勢に支持する被記録媒体スタッカの傾斜角度を一定に保持するロック装置および該ロック装置を備えた記録装置に関する。また、本発明は、液体噴射装置に関する。
【０００２】
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録材に相当する被噴射媒体に噴射して、前記液体と前記被噴射媒体に付着させる装置を含む意味で用いる。
【０００３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【０００４】
【従来の技術】
Ｆａｘ、プリンタ等に代表される記録装置には、装置後部に、被記録媒体としての記録用紙を傾斜姿勢で支持するスタッカを備えるものがある。この様なスタッカには、例えば、記録用紙を給送する給送装置に設けられ、複数枚の記録用紙を積層状態で支持する給紙用のスタッカ（ペーパーサポート）があり、或いは、両面記録装置において、記録が行われてフェイスアップ状態で斜め上方に排出される記録用紙を傾斜姿勢で支持する排紙用のスタッカがある（例えば、特許文献１参照）。
【０００５】
【特許文献１】
特開平９−２１６４３０号公報
【０００６】
【発明が解決しようとする課題】
ところで、装置後方にこの様に傾斜姿勢でスタッカが設けられると、装置後方のスペースを多く必要とすることになる。そして、ユーザが例えば傾斜姿勢に設けられたスタッカに配慮することなく記録装置を後方側に移動させると、傾斜姿勢のスタッカが後方側に存在する壁等に突き当たり、スタッカが垂直方向に揺動してしまう場合がある。そしてこの様にスタッカが正常な設置状態に無いまま給紙動作或いは排紙動作が実行されると、給紙不良或いは排紙不良を招く要因となる。
【０００７】
特に、両面記録装置であって、第１面に記録の行われた記録用紙を排紙スタッカに向けて斜め上方に一旦排出し、そして再び装置内部へ引き込み、湾曲反転させた後に第２面に記録を行う両面記録装置においては、排紙スタッカが垂直姿勢に立設された状態となると、記録用紙の搬送経路が変化し、前記湾曲反転経路を搬送する際に搬送負荷が増大して適切な記録実行結果が得られない虞もある。
一方で、この様な問題を防止すべくスタッカを完全なロック状態とすると、記録装置を後方に移動させた際に、スタッカを破損させてしまう虞もある。
【０００８】
そこで本発明はこの様な状況に鑑みなされたものであり、その目的は、装置後方に傾斜姿勢で設けられたスタッカが正常な設置状態に無い状態のまま記録動作が実行されることを防止して、適切な記録実行結果を得る様にすることにある。
【０００９】
【課題を解決するための手段】
上記課題を解決するために、本発明の第１の態様は、被記録媒体を傾斜姿勢に支持する揺動可能な被記録媒体スタッカの傾斜角度を一定に保持する様に、前記被記録媒体スタッカをロックするロック装置であって、前記被記録媒体スタッカを傾斜姿勢に支持する支持手段と、前記被記録媒体スタッカの側面から出没自在に設けられるとともに、付勢手段によって前記被記録媒体スタッカの側面から突出する方向に付勢される突起と、前記被記録媒体スタッカの側面と対向する位置に設けられ、前記被記録媒体スタッカの非ロック状態において前記突起の先端が圧接するとともに、前記被記録媒体スタッカの揺動動作に伴って前記突起の先端が摺動する摺動面と、前記摺動面と交差する面であり、被記録媒体スタッカのロック状態において前記被記録媒体スタッカが垂直姿勢となる方向に前記被記録媒体スタッカに外力を付与した際に、前記突起の側面が圧接する被係合面と、を備え、前記非ロック状態にある前記被記録媒体スタッカをその傾斜角度が緩やかになる方向に揺動させると、前記被記録媒体スタッカが前記支持手段によって支持された状態となり、且つ前記突起の先端が前記摺動面から外れて前記被記録媒体スタッカの側面から突出するとともに前記被係合面と係合し、これによって前記被記録媒体スタッカが前記ロック状態となる様に構成され、前記ロック状態において前記被記録媒体スタッカが垂直姿勢となる方向に前記被記録媒体スタッカに外力を付与する際に、前記外力の臨界点以下では、前記突起の側面と前記被係合面との間の係合状態が変化せず前記被記録媒体スタッカの傾斜角度が一定に維持され、前記外力が臨界点を超えると、前記突起の側面と前記被係合面との間の係合状態が解除されるとともに係合解除音が発生する様に構成されていることを特徴とする。
【００１０】
上記第１の態様によれば、被記録媒体スタッカを所定の傾斜角度にロックするロック装置は、突起の側面と被係合面との係合状態が維持されることで被記録媒体スタッカをロック状態とする。そして、当該ロック状態において被記録媒体スタッカが垂直姿勢となる方向に被記録媒体スタッカに外力を付与すると、突起の側面が被係合面に圧接するが、前記外力が臨界点以下では、前記突起の側面と前記被係合面との係合状態が変化せず、被記録媒体スタッカの傾斜角度が一定に維持される。しかし、前記外力が臨界点を超えると、前記突起の側面と前記被係合面との間の係合状態が即座に解除されとともに、これによって係合解除音が発生する様に構成されているので、ロック解除状態をユーザに前記係合解除音で認識させることが可能となる。そしてこれにより、ユーザがロック解除状態即ち被記録媒体スタッカが正しい傾斜姿勢にない状態のまま記録動作を実行するといった問題を防止することができる。加えて、この様に前記外力が臨界点を超えると被記録媒体トレイのロックが解除されるので、被記録媒体トレイを破損する虞もない。
【００１１】
本発明の第２の態様は、上記第１の態様において、前記被係合面が、前記突起の側面に対し、前記突起の側面に交差する様な傾斜面によって形成されていることを特徴とする。
上記第２の態様によれば、前記被係合面が、前記突起の側面に対し、前記突起の側面に交差する様な傾斜面によって形成されているので、前記外力を付与した際に、直ちに前記突起の側面が前記被係合面上を滑って係合解除音を発生させないでロック解除となることがなく、確実に係合解除音を発生させることができる。
【００１２】
本発明の第３の態様は、上記第１のまたは第２の態様において、前記被記録媒体スタッカが、記録が行われて斜め上方に排出される被記録媒体を傾斜姿勢に支持する着脱可能なスタッカであることを特徴とする。
上記第３の態様によれば、前記被記録媒体スタッカが、記録が行われて斜め上方に排出される被記録媒体を傾斜姿勢に支持する着脱可能なスタッカであるので、上記第１の態様の作用効果により、適切に被記録媒体の排出動作を行うことが可能となる。
【００１３】
本発明の第４の態様は、被記録媒体に記録を行う記録ヘッドと、該記録ヘッドの上流側に設けられ、該記録ヘッドへ被記録媒体を搬送する被記録媒体搬送手段と、前記記録ヘッドの下流側に設けられ、前記記録ヘッドによって記録の行われた被記録媒体を斜め上方に排出する被記録媒体排出手段と、該被記録媒体排出手段によって斜め上方に排出される被記録媒体を傾斜姿勢に支持する揺動可能な被記録媒体スタッカと、該被記録媒体スタッカを傾斜姿勢に保持するロック装置と、を備えた記録装置であって、前記ロック装置が、上記第１のまたは第２の態様に記載した前記ロック装置であることを特徴とする。
上記第４の態様によれば、被記録媒体に記録を行う記録装置において、上述した第１の態様の作用効果を得ることが可能となる。
【００１４】
本発明の第５の態様は、上記第４の態様において、前記記録ヘッドが、被記録媒体にインク滴を吐出するインクジェット記録ヘッドであり、該インクジェット記録ヘッドの下流側に、第１面に記録の行われた被記録媒体を湾曲反転させることにより、前記第１面とは反対側の第２面が前記記録ヘッドと対向する様に被記録媒体を前記被記録媒体搬送手段の上流側に再び案内する被記録媒体反転装置を備えていることを特徴とする。
上記第５の態様によれば、第１面に記録実行後、被記録媒体を湾曲反転させることにより第２面に記録を実行する両面記録装置において、上述した第１の態様の作用効果を得ることができる。
【００１５】
本発明の第６の態様は、被噴射媒体に液体噴射を行う液体噴射ヘッドと、該液体噴射ヘッドの上流側に設けられ、該液体噴射ヘッドへ被噴射媒体を搬送する被噴射媒体搬送手段と、前記液体噴射ヘッドの下流側に設けられ、前記液体噴射ヘッドによって液体噴射の行われた被噴射媒体を斜め上方に排出する被噴射媒体排出手段と、該被噴射媒体排出手段によって斜め上方に排出される被噴射媒体を傾斜姿勢に支持する揺動可能な被噴射媒体スタッカと、該被噴射媒体スタッカの傾斜角度を一定に保持する様に、前記被噴射媒体スタッカをロックするロック装置と、を備えた液体噴射装置であって、前記ロック装置が、前記被噴射媒体スタッカを傾斜姿勢に支持する支持手段と、前記被噴射媒体スタッカの側面から出没自在に設けられるとともに、付勢手段によって前記被噴射媒体スタッカの側面から突出する方向に付勢される突起と、前記被噴射媒体スタッカの側面と対向する位置に設けられ、前記被噴射媒体スタッカの非ロック状態において前記突起の先端が圧接するとともに、前記被噴射媒体スタッカの揺動動作に伴って前記突起の先端が摺動する摺動面と、前記摺動面と交差する面であり、被噴射媒体スタッカのロック状態において前記被噴射媒体スタッカが垂直姿勢となる方向に前記被噴射媒体スタッカに外力を付与した際に、前記突起の側面が圧接する被係合面と、を備え、前記非ロック状態にある前記被噴射媒体スタッカをその傾斜角度が緩やかになる方向に揺動させると、前記被噴射媒体スタッカが前記支持手段によって支持された状態となり、且つ前記突起の先端が前記摺動面から外れて前記被噴射媒体スタッカの側面から突出するとともに前記被係合面と係合し、これによって前記被噴射媒体スタッカが前記ロック状態となる様に構成され、前記ロック状態において前記被噴射媒体スタッカが垂直姿勢となる方向に前記被噴射媒体スタッカに外力を付与する際に、前記外力の臨界点以下では、前記突起の側面と前記被係合面との間の係合状態が変化せず前記被噴射媒体スタッカの傾斜角度が一定に維持され、前記外力が臨界点を超えると、前記突起の側面と前記被係合面との間の係合状態が解除されるとともに係合解除音が発生する様に構成されていることを特徴とする。
【００１６】
【発明の実施の形態】
以下、本発明の一実施形態について、
１．インクジェットプリンタの概略構成
２．排紙スタッカ（ロック装置）の詳細な構成
の順に図面を参照しながら説明する。
【００１７】
＜１．インクジェットプリンタの概略構成＞
以下では、本発明の一実施形態に係る「記録装置」、「液体噴射装置」としてのインクジェットプリンタ（以下「プリンタ」と言う）１の概略構成について図１乃至図５を参照しながら説明する。ここで、図１はプリンタ１の外観斜視図、図２はプリンタ１の側断面概略図である。また、図３乃至図５は図２の部分拡大図であり、プリンタ１における用紙搬送（用紙排出）経路のバリエーションを示すものである。
【００１８】
図１において、「被記録材」、「被噴射媒体」の一例としての記録用紙（主として単票紙：以下「用紙Ｐ」と言う。）に、「液体」の一例としてのインク滴を吐出して記録を行うプリンタ１は、装置本体１ａに給紙部、記録部、排紙部等（詳細は後述）を有し、装置下部手前側には、給紙カセット２００が着脱自在に設けられている。また、装置本体１ａの下部には、装置本体１ａへ向けて用紙Ｐを給送する図示しないオプション給紙ユニットを連結可能に構成されている。
【００１９】
プリンタ１は、装置本体１ａの上部に、記録の行われた用紙Ｐを装置前方側に向けて排出するフェイスダウン（以下「Ｆｄ」と略称する）用紙排出口５００と、これとは逆に装置後方側に向けて排出するフェイスアップ（以下「Ｆｕ」と略称する）用紙排出口６００と、を有している。Ｆｄ用紙排出口５００の側においては、装置手前側に設けられた回動軸を中心にして回動することにより、装置手前側に向けて開くことのできるカバー１５０が設けられている。
【００２０】
図１は、カバー１５０を開いた状態を示すものであり、当該開いた状態においては、カバー１５０は、Ｆｄ用紙排出口５００から排出される用紙Ｐをスタックする排紙スタッカとしての機能を果たす。また、閉じた状態においては、装置上部の外観を構成するとともに装置内部への塵埃等の進入を防止する機能を果たす。更に、Ｆｕ用紙排出口６００の側においては、「被記録媒体スタッカ」としての排紙スタッカ６０１が傾斜姿勢で設けられていて、Ｆｕ用紙排出口６００から排出された用紙Ｐは、排紙スタッカ６０１上に傾斜姿勢で順次積層支持される。
【００２１】
装置本体１ａの上部前方側には、インク・カートリッジ１０５をプリンタ１の幅方向に複数個（本実施形態では４個）着脱自在に備えている。本実施形態に係るプリンタ１においては、ブラック、シアン、マゼンダ、イエロー用の、計４個のインク・カートリッジ１０５が、プリンタ１の幅方向に並んで配設される。このインク・カートリッジ１０５は、図１に示す様にカートリッジカバー１５１を開放することで露呈する様になっていて、当該開放状態においてインク・カートリッジ１０５の着脱作業が行える様になっている。
【００２２】
次に、図２を参照しながらプリンタ１の用紙搬送経路について概説する。プリンタ１は、装置下部前方側から装置上部後方側に向けて斜めに用紙Ｐを搬送し、傾斜した搬送経路上において用紙Ｐにインクジェット記録を行い、記録の行われた用紙Ｐを斜め上方（前方側（Ｆｄ用紙排出口５００）又は後方側（Ｆｕ用紙排出口６００））に向けて排出する構成を有している。また、プリンタ１は、用紙Ｐの表面と裏面の両面にインクジェット記録を行うべく、表面にインクジェット記録の行われた用紙Ｐを反転させ、そして裏面を上にした状態で記録部へと搬送する為の反転経路（反転装置）を有している。
【００２３】
より詳しくは、プリンタ１の用紙搬送経路は、給紙部２と、記録部１１と、フェイスダウン（Ｆｄ）排出部５と、フェイスアップ（Ｆｕ）排出部６と、用紙反転部４と、から大略構成される。
以下、上記用紙搬送経路の各構成毎に説明する。尚、以下では用紙搬送経路の上流側を単に「上流側」と言い、用紙搬送経路の下流側を単に「下流側」と言うこととする。
【００２４】
［給紙部２］
給紙部２は、ホッパ２０３と、手差しトレイ２０１と、ピックアップローラ２５と、給紙ローラ２１と、リバースローラ２３とを有している。ホッパ２０３は給紙カセット２００（図１）にセットされる複数枚の用紙Ｐを積層状態で支持し、且つ、回動軸２０３ａを中心にして、図示を省略するホッパ駆動手段によって図の時計方向及び反時計方向に揺動可能に構成されている。
【００２５】
ピックアップローラ２５は外周面が高摩擦材（例えば、ゴム材）によって構成され、ホッパ２０３が揺動することにより、ホッパ２０３上に積重された用紙Ｐの最上位のものと接触する。そして、当該接触状態で回転することにより、最上位の用紙Ｐを下流側の給紙ローラ２１及びリバースローラ２３へと送り出す。
給紙ローラ２１及びリバースローラ２３は、ピックアップローラ２５と同様に外周面が高摩擦材によって構成されている。給紙ローラ２１は用紙Ｐを下流側に給送する回転方向（図２の反時計方向）に回転駆動され、リバースローラ２３は、用紙Ｐを上流側に戻す様な回転方向（図２の反時計方向）に回転駆動される。ピックアップローラ２５によってホッパ２０３上から送出された最上位の用紙Ｐは、給紙ローラ２１とリバースローラ２３とにニップされた状態で、給紙ローラ２１が回転することにより、下流側の搬送駆動ローラ２８へと給送される。
【００２６】
ここで、リバースローラ２３は、図示を省略する駆動機構により、給紙ローラ２１に圧接する状態（図２の状態）と給紙ローラ２１から離間する状態とを切り換え可能に設けられている。リバースローラ２３は、給紙ローラ２１に圧接した状態において、給送されるべきホッパ２０３上の最上位の用紙Ｐと、これにつられて重送されようとする次位以降の用紙Ｐとを分離する機能を果たす。即ち、給紙ローラ２１と用紙Ｐとの間の摩擦係数をμ１、用紙Ｐ間の摩擦係数をμ２、用紙Ｐとリバースローラ２３との間の摩擦係数をμ３とすると、μ１＞μ３＞μ２の関係が成立する様に、給紙ローラ２１及びリバースローラ２３の外周面を形成する高摩擦材が選定されている。
【００２７】
そして、リバースローラ２３は、用紙Ｐを上流側に戻す方向に回転することにより、重送されようとする次位以降の用紙Ｐを、給紙ローラ２１とリバースローラ２３とのニップ点で確実に止める。一方で、リバースローラ２３は、用紙Ｐ先端が搬送駆動ローラ２８と搬送従動ローラ２９とにニップされた後は、搬送駆動ローラ２８による用紙Ｐの搬送動作を阻害しない様に、つまり、搬送負荷（バックテンション）を与えない様に、給紙ローラ２１から離間する。
尚、以下では、用紙Ｐに搬送力を与えるローラ対に対し、当該ローラ対の上流側で用紙Ｐに与えられる搬送負荷（主に、用紙Ｐを引っ張ろうとする様な力）を「バックテンション」と言い、逆に下流側で用紙Ｐに与えられる搬送負荷（主に、用紙Ｐを下流側から上流側へ押し戻そうとする様な力）を「フロントテンション」と言うこととする。
【００２８】
［記録部１１］
給紙部２の下流側に設けられた記録部１１は、「被噴射媒体搬送手段」としての搬送駆動ローラ２８と、搬送従動ローラ２９と、ガイドローラ３０と、「液体噴射ヘッド」の一例としてのインクジェット記録ヘッド（以下「記録ヘッド」と言う）１００と、プラテン６５と、記録部下流側駆動ローラ３２と、記録部下流側従動ローラ３３と、記録部補助ローラ３５ａ及び３５ｂとを有している。搬送駆動ローラ２８は図示しない駆動モータによって回転駆動され、搬送従動ローラ２９は、搬送従動ローラホルダ２６の下流側に設けられ、搬送駆動ローラ２８に接して従動回転する。
【００２９】
搬送従動ローラホルダ２６において搬送従動ローラ２９の下流側近傍には、用紙押さえ部材８０が設けられている。この用紙押さえ部材８０は用紙Ｐのプラテン６５からの浮き上がりを防止する機能を果たすものであり、これにより、用紙Ｐと記録ヘッド１００との距離が安定し、適切な記録品質を得ることが可能となる。
【００３０】
次に、搬送駆動ローラ２８の下流側には、用紙搬送経路の上側に記録ヘッド１００が、用紙搬送経路の下側に、記録ヘッド１００と対向する様にプラテン６５が、それぞれ設けられている。ここで、記録部１１における用紙搬送経路は図示する様に傾斜角を有し、本実施形態においては、水平面に対して約６０°の傾斜角を有する様に、用紙搬送経路が構成されている。従って、プラテン６５と記録ヘッド１００とは、図示する様に傾斜姿勢で設けられている。記録ヘッド１００はキャリッジ１０１の下部に設けられ、キャリッジ１０１は、主走査方向（図２の紙面表裏方向）に延びるキャリッジガイド軸１０３を挿通する様に設けられ、キャリッジガイド軸１０３によってガイドされながら、図示しない駆動手段の動力を受けて主走査方向に往復動する。
【００３１】
キャリッジ１０１は、本実施形態においてはインク・カートリッジを搭載せず、前述した様に、インク・カートリッジ取付フレーム１１０に装着されたインク・カートリッジ１０５から、図２では図示を省略するインクチューブを介して記録ヘッド１００へとインクが供給される様に構成されている。また、各色のインク・カートリッジ１０５には、各インク・カートリッジに関する情報を保持したＩＣチップ１０７がそれぞれ装着されている。このＩＣチップ１０７には、インクの色などの固定情報の他、インク残量などの変動情報を記憶する記憶装置が内蔵されている。各ＩＣチップ１０７には、受信アンテナ（図示せず）がそれぞれ接続されており、一方で主走査方向に往復動するキャリッジ１０１には、前記受信アンテナへ無線信号を送信する送信アンテナ（図示せず）を備えたアンテナ基板１０９が略垂直に立設されている。
【００３２】
そして、アンテナ基板１０９は、キャリッジ１０１が主走査方向に移動することにより、主走査方向に並んで複数配設されたインク・カートリッジ１０５のうちの、１つのインク・カートリッジ１０５のＩＣチップ１０７と対向する。そして、ＩＣチップ１０７と通信することにより、ＩＣチップ１０７に記憶された各種情報を、図示しないプリンタ１の制御部へと送信することができる様になっている。
【００３３】
次に、記録ヘッド１００の下流側には、回転駆動される記録部下流側駆動ローラ３２と、該記録部下流側駆動ローラ３２に接して従動回転する記録部下流側従動ローラ３３とが設けられ、記録ヘッド１００によって記録の行われた用紙Ｐは、記録部下流側駆動ローラ３２の回転によって下流側へ排紙される。また、記録部下流側従動ローラ３３の上流側には、記録部補助ローラ３５ａ、３５ｂが設けられていて、これにより、用紙Ｐのプラテン６５からの浮き上がりがより一層防止されている。尚、記録部下流側従動ローラ３３と、記録部補助ローラ３５ａ、３５ｂとは、インク滴が吐出された用紙Ｐの記録面と接触する為、記録面と点接触する歯付きローラによって構成されている。
【００３４】
ここで、記録部下流側駆動ローラ３２及び記録部下流側従動ローラ３３は、主走査方向の配置位置が、リブ６５ａの形成位置と一致する様に成されている。加えて、記録部補助ローラ３５ｂの主走査方向の配置位置は、隣り合う２つのリブ６５ａのほぼ中間となる様に成され、且つ、用紙Ｐの記録面と接触する接触点が、リブ６５ａの上面よりもやや下に位置する様に成されている。従ってこれにより、用紙Ｐがインク滴を吸収することにより膨潤しても、その伸び分が隣接するリブ６５ａの間に逃げ、結果として用紙Ｐには規則的な波打ち状態（コックリング状態）が形成される。即ち、リブ６５ａの位置で山となり、記録部補助ローラ３５ｂの位置で谷となるコックリングが形成され、これによって用紙Ｐと記録ヘッド１００との距離が著しく不均一となるといった不具合を防止している。加えて、コックリングが形成されることによって搬送方向の見かけ上の剛性が増し、フロントテンションが発生しても、記録ヘッド１００において用紙Ｐが浮き上がり難い（撓み難い）という作用効果も奏することができる。
【００３５】
［フェイスダウン（Ｆｄ）排出部５］
記録部１１の下流側に設けられたＦｄ排出部５は、屈曲ローラ３７と、Ｆｄ排出駆動ローラ４１と、Ｆｄ排出従動ローラ４３と、を備えている。記録部下流側駆動ローラ３２の下流側には、記録部下流側駆動ローラ３２によって記録部１１から排紙された用紙Ｐを、フェイスダウン（Ｆｄ）排出経路またはフェイスアップ（Ｆｕ）排出経路のいずれかに切り替える、「揺動部材」「被記録材ガイド部材」としてのＦｄ／Ｆｕ切替部材５０３が設けられている。Ｆｄ排出経路は用紙ＰをＦｄ用紙排出口５００（図１）から排出する為の用紙排出経路、Ｆｕ排出経路はＦｕ用紙排出口６００（図１）から排出する為の用紙排出経路である。
【００３６】
Ｆｄ／Ｆｕ切替部材５０３は、揺動軸５０３ａを中心にして、用紙排出経路を側視して揺動（図２の時計方向及び反時計方向）可能に設けられ、揺動することにより、記録部１１から下流側に送られる用紙Ｐの進行方向を切り替える。また、Ｆｄ／Ｆｕ切替部材５０３は、Ｆｄ排出経路における湾曲反転経路の外側に設けられ、湾曲面５０３ｂによって用紙Ｐを湾曲反転させる。尚、湾曲面５０３ｂは、用紙Ｐとの間の摩擦抵抗を軽減してフロントテンションの増大を防止すべく、滑らかに形成されている。また、湾曲面５０３ｂは、用紙Ｐの紙幅方向（図２の紙面表裏方向）に複数のリブ（図示せず）が所定の間隔を置いて設けられることによって形成されていて、つまり、一様な面でないので、これによっても、用紙Ｐとの間の摩擦抵抗を軽減している。
【００３７】
次に、図３は、Ｆｄ／Ｆｕ切替部材５０３が、記録部１１から下流側に送られた用紙Ｐの進行方向をＦｄ排出経路に切り替える状態を示している。記録部１１から下流側に送られた用紙Ｐ先端は、Ｆｄ／Ｆｕ切替部材５０３に形成された滑らかな湾曲面５０３ｂに当接する。用紙Ｐ先端は、湾曲面５０３ｂと、湾曲面５０３ｂの下流側に設けられたガイド部材５０５に接しながら進み、やがてＦｄ排出駆動ローラ４１とＦｄ排出従動ローラ４３とによってニップされる。Ｆｄ排出駆動ローラ４１はゴムローラからなり、回転駆動される。Ｆｄ排出従動ローラ４３は歯付きローラから成り、ゴムローラから成るＦｄ排出駆動ローラ４１に接して従動回転する。そして、Ｆｄ排出駆動ローラ４１が回転駆動されることにより、Ｆｄ用紙排出口５００（図１）から装置前方（矢印「Ｆｄ」で示す方向）に向けて記録の行われた用紙Ｐが排出される。
【００３８】
用紙Ｐが上記Ｆｄ排出経路を進行して排出される場合には、用紙Ｐは記録面を内側にして略Ｕ字形の形状に湾曲させられて排出される。従って、Ｆｄ排出経路を進行して排出される場合には、排紙スタッカ１５０（図１）に積重される用紙Ｐは、ページ順に順序良く積重されることになり、ユーザの利便性が向上する。
【００３９】
［フェイスアップ（Ｆｕ）排出部６］
図２に戻って、記録部１１の下流側であって装置本体１ａの後部（図２の右側）に設けられた「被記録媒体排出手段」としてのＦｕ排出部６は、Ｆｕ排出駆動ローラ４５と、Ｆｕ排出従動ローラ４７と、Ｆｕ補助ローラ４９と、凹凸ローラ４８（図４参照）とを備えている。用紙ＰがＦｕ排出経路を進行して排出される場合には、Ｆｄ／Ｆｕ切替部材５０３は、図３に示す状態から時計方向に揺動する。そしてこれにより、図４に示す様に記録部１１から下流側に送られる用紙Ｐが斜め上方（図４の右上方向）に真っ直ぐに進む用紙搬送経路が形成される。記録部１１から下流側に送られた用紙Ｐは、Ｆｕ排出駆動ローラ４５とＦｕ排出従動ローラ４７とによってニップされ、Ｆｕ排出駆動ローラ４５が回転駆動されることにより、Ｆｕ用紙排出口６００（図１参照）から装置後方（矢印「Ｆｕ」で示す方向）に向けて排出される。
【００４０】
尚、Ｆｕ排出従動ローラ４７は歯付きローラからなり、ゴムローラによって成されたＦｕ排出駆動ローラ４５に接して従動回動する様構成されている。また、Ｆｕ排出駆動ローラ４５は、用紙Ｐの排出方向（図４の右側：プリンタ１の後方側）に設けられている。更に、Ｆｕ排出従動ローラ４７の下流側近傍には歯付きローラからなるＦｕ補助ローラ４９が設けられ、凹凸ローラ４８とともに用紙Ｐの排出動作を補助する。
用紙Ｐが上記Ｆｕ排出経路を進行して排出される場合には、用紙Ｐには湾曲状態は形成されず、記録面を上にして記録部１１から下流側がほぼ真っ直ぐに排出される。従って、上記Ｆｕ排出経路を利用することにより、厚手の用紙や腰の強い用紙でも、無理なく記録を行い、且つ適切に排出することが可能となる。
【００４１】
［用紙反転部４］
図２に戻って、プリンタ１の後部（図２の右側）に設けられた「被記録媒体反転装置」としての用紙反転部４は、上述したＦｕ排出駆動ローラ４５と、Ｆｕ排出従動ローラ４７等のＦｕ排出部６を構成するローラ群を含み、更にガイド駆動ローラ５１と、可動ガイド従動ローラ５２と、ガイド駆動ローラ５３と、ガイド従動ローラ５４と、反転駆動ローラ５５と、反転従動ローラ５７と、ガイドローラ５９と、を備えている。
【００４２】
用紙反転部４は、図５に示す様に、上記Ｆｕ排出経路を進んできた用紙Ｐの後端部分を略垂直方向に沿う様に押さえ付け、且つ、Ｆｕ排出駆動ローラ４５及びガイド駆動ローラ５１を図の反時計方向に回転駆動することにより、用紙ＰをＦｕ用紙排出口６００（図１）から排出せずに、用紙反転部４内へと引き入れる。
【００４３】
より詳しくは、図５において屈曲ローラ３７の下流側には、歯付きローラからなる可動ガイド従動ローラ５２を自由回転可能に軸支するＦｕ／Ｒ第１切替部材４０１が設けられ、該Ｆｕ／Ｒ第１切替部材４０１と対向する位置に、Ｆｕ／Ｒ第２切替部材４０５が設けられている。Ｆｕ／Ｒ第１切替部材４０１は、図示しない回動中心を中心に揺動可能に設けられるとともに、可動ガイド従動ローラ５２がガイド駆動ローラ５１から離間する状態（図４に示す状態）と、ガイド駆動ローラ５１に接する状態（図５に示す状態）とを、図示しない駆動機構によって変化可能に設けられている。Ｆｕ／Ｒ第２切替部材４０５は、Ｆｕ排出駆動ローラ４５の回動中心を中心にして揺動可能に設けられるとともに、傾斜姿勢（図４に示す状態）と略垂直な姿勢（図５に示す状態）とを、図示しない駆動機構によって変化可能に設けられている。
【００４４】
以上の構成により、用紙ＰがＦｕ排出経路を進み、そして用紙Ｐの後端がガイド部材５０１を通過した後に、Ｆｕ／Ｒ第１切替部材４０１と、Ｆｕ／Ｒ第２切替部材４０５とを、図４に示す状態から図５に示す状態に切り替える。これによって、用紙Ｐ後端部分がガイド駆動ローラ５１と可動ガイド従動ローラ５２とにニップされるとともに、この状態で逆転（図の反時計方向）駆動されるＦｕ排出駆動ローラ４５と、ガイド駆動ローラ５１との搬送力を受けて、用紙Ｐ後端を先頭にして鉛直下方向へと進んでいく。
【００４５】
尚、用紙反転部４を進む用紙Ｐは、最初の記録面（表面）の記録時とは進行方向が逆になる。即ち、最初の記録時には先端であった側が後端側となり、後端であった側が先端側となるので、以下では用紙反転部４を進む際に先端となる側を「用紙Ｐ先端（Ｒ）」、後端となる側を「用紙Ｐ後端（Ｒ）」と表記することとする。
【００４６】
続いて、図２に戻ってガイド駆動ローラ５１の下流側には、回転駆動されるガイド駆動ローラ５３と、これに接して従動回転する、歯付きローラからなるガイド従動ローラ５４とが設けられていて、用紙Ｐ先端（Ｒ）が当該ローラ対にニップされることにより、更に下流側に搬送される。
【００４７】
ガイド駆動ローラ５３の下流側には、大径のガイドローラ５９が設けられるとともに、該ガイドローラ５９を中心にした略Ｕ字形の形状をなす湾曲反転経路が形成されている。ガイドローラ５９と対向する側には、回転駆動される反転駆動ローラ５５が設けられ、該反転駆動ローラ５５と、該反転駆動ローラ５５に接して従動回転する反転従動ローラ５７とよって用紙Ｐ先端（Ｒ）がニップされることにより、用紙Ｐは前記湾曲反転経路を更に進む。
【００４８】
ここで、ガイドローラ５９は、表面が滑らかであり、且つ、自由回転可能な様に構成されている。これは、ガイドローラ５９と対向する用紙Ｐの面が、既にインク滴の吐出された記録面（表面）であることから、この様な既記録面に対して例えば回転駆動されるゴムローラ等を配すると、既記録面と擦れることによって記録品質を低下させるからである。
【００４９】
また、反転従動ローラ５７は、図示しない付勢手段によって反転駆動ローラ５５に軽く接する様に設けられている。一方、用紙Ｐ先端（Ｒ）はやがて搬送駆動ローラ２８と搬送従動ローラ２９とにニップされて、記録ヘッド１００へと搬送されるが、搬送駆動ローラ２８と搬送従動ローラ２９とによる用紙Ｐの搬送力は、他のローラ対に比して強力である。従って、用紙Ｐ先端（Ｒ）が搬送駆動ローラ２８と搬送従動ローラ２９とにニップされると、用紙Ｐが引っ張られることにより、反転従動ローラ５７が前記付勢手段の付勢力に抗して反転駆動ローラ５５から離間する場合がある。すると、前記湾曲反転経路の形状が変化し、安定した用紙Ｐの搬送動作を実現できないといった不具合が生じる。しかし、ガイドローラ５９は、回転軸方向と直交する方向には変位しない様に設けられているので、これにより、既記録面を適切に保護しながら、前記湾曲反転経路を一定に維持して安定した用紙Ｐの搬送動作を実現可能となっている。
【００５０】
尚、反転従動ローラ５７は歯付きローラではなく、用紙Ｐと面接触する、表面が滑らかなローラによって構成されている。これは、反転従動ローラ５７は用紙Ｐを湾曲反転させる部分に設けられている為、用紙Ｐが反転湾曲ローラ５７に強く接する場合があるとともに、反転従動ローラ５７と接触する用紙Ｐの面が、既にインク滴の吐出された既記録面（表面）であるので、既記録面を保護する必要がある為である。
【００５１】
ガイドローラ５９によって形成された湾曲反転経路を通過し、用紙Ｐ先端（Ｒ）が搬送駆動ローラ２８と搬送従動ローラ２９とにニップされると、用紙Ｐは記録ヘッド１００へ搬送され、用紙Ｐの裏面への記録が実行される。そして、用紙反転部４を経由した用紙Ｐは、本実施形態においては上述のＦｕ排出経路（Ｆｕ排出部６）を通り、Ｆｕ用紙排出口６００（図１）から斜め上方に排出される。
以上が、プリンタ１の概略である。
【００５２】
＜排紙スタッカ（ロック装置）の詳細な構成＞
続いて、図６乃至図１０及び適宜その他の図面を参照しながら、排紙スタッカ６０１及び該排紙スタッカ６０１の傾斜角度を一定に保持する様に排紙スタッカ６０１をロックするロック装置について詳説する。ここで、図６（Ａ）は図１の部分拡大図、図６（Ｂ）は図６（Ａ）のカバー６３２を取り外した状態を示す図、図７は図６（Ｂ）の部分拡大図、図８は排紙スタッカ６０１の外観斜視図、図９はロック装置を構成するレバー部材６１１の外観斜視図、図１０はレバー部材６１１及び被係合部６３４の断面図である。
【００５３】
図１に示す様に、Ｆｕ用紙排出口６００に設けられる排紙スタッカ６０１はスタッカ基部６０３と、該スタッカ基部６０３に収納され且つ引き出し可能な補助スタッカ６０５及び６０７によって大略構成されている。非使用時は補助スタッカ６０５及び６０７はスタッカ基部６０３に収納され、使用時は、図１に示す様に補助スタッカ６０５及び６０７がスタッカ基部６０３から引き出され、用紙Ｐを支持する支持面が展開される。
【００５４】
図６、図７、図８に示す様に、スタッカ基部３の側面にはアーム６０９ａ及び６０９ｂが形成され、該アーム６０９ａ、６０９ｂの中程にはボス６１４ａ、６１４ｂが、先端にはボス６１０ａ、６１０ｂが形成されている。また、スタッカ基部６０３の右側面側には、突起６１３及び押釦６１２が、スタッカ基部６０３の右側面から突出する様に設けられている。
【００５５】
より詳しくは、図９に示す様にスタッカ基部６０３の右側面にはレバー部材６１１が設けられている。レバー部材６１１の中程には上記押釦６１２が形成され、先端には上記突起６１３が形成され、突起６１３が形成された先端に対して反対側の端部には、側面視略Ｆの字形の形状をなす様に係合片６１１ａ、６１１ａが形成されている。レバー部材６１１は、図示する様に係合片６１１ａ、６１１ａがスタッカ基部６０３に形成された把持部６０３ｂ、６０３ｂによって挟持されることにより、スタッカ基部６０３に取り付けられ、当該取付状態において、上記突起６１３及び押釦６１２が、スタッカ基部６０３の右側面に形成された穴６０３ｄ、６０３ｃからそれぞれ突出した状態となる。
【００５６】
ここで、レバー部材６１１は樹脂材料によって弾性を有する様に形成されるとともに、押釦６１２が形成された部分には、押圧ばね６１５が配設されている。従ってこれにより、突起６１３及び押釦６１２はスタッカ基部６０３の右側面から常に突出する様に付勢された状態となっている。そして、押圧ばね６１５及びレバー部材６１１の弾性に抗して押釦６１２を押圧すると、係合片６１１ａ、６１１ａを支点としてレバー部材６１１が弾性変形し、突起６１３がスタッカ基部６０３の右側面から突出しない没状態となる。以上により、突起６１３は、スタッカ基部６０３の右側面から出没自在となっている。
【００５７】
続いて、排紙スタッカ６０１の装置本体１ａへの取付方法について説明する。排紙スタッカ６０１は装置本体１ａに対して着脱自在に設けられている。より詳しくは、図６乃至図８を参照しつつ上述した様にスタッカ基部６０３の側面にはアーム６０９ａ及び６０９ｂが形成され、該アーム６０９ａ、６０９ｂの中程にはボス６１４ａ、６１４ｂが、先端にはボス６１０ａ、６１０ｂが形成されている。
【００５８】
一方、排紙スタッカ６０１を取り付ける被取付部としての、平面視略コの字形の形状をなすフレーム６３０の側面には、図６（Ｂ）及び図７に示す様にほぼ垂直方向に延びるガイド溝６３１が形成されている。尚、以下では、説明の便宜上、スタッカ基部６０３の右側面についてのみ説明するが、左側面についても、突起６１３及び押釦６１２が設けられていない以外には、右側面と同様である。
【００５９】
ガイド溝６３１は通常、図６（Ａ）に示す様にカバー６３２によって覆われた状態にあり、排紙スタッカ６０１を被取付部としてのフレーム６３０に取り付ける際には、スタッカ基部６０３をフレーム６３０内に挿入するとともに、アーム６０９ａに形成されたボス６１０ａ、６１４ａをガイド溝６３１に挿入する様にして、排紙スタッカ６０１を略垂直姿勢の状態で上方から下方に差し込む。このとき、スタッカ基部６０３の側面と、アーム６０９ａとでフレーム６３０を挟む様にして挿入するが、スタッカ基部６０３の右側面には突起６１３が設けられ、突起６１３が右側面から突出した状態となっているので、押釦６１２を押圧して突起６１３を没状態としながら、スタッカ基部６０３をフレーム６３０へ差し込む。尚、突起６１３は排紙スタッカ６０１がフレーム６３０に差し込まれる際に、押釦６１２を押圧しなくても自然と没状態となる様に下端側が傾斜面６１３ｂによって形成されているので、必ずしも押釦６１２を押圧する必要はない。
【００６０】
次に、スタッカ基部６０３を略垂直姿勢でフレーム６３０へ差し込み、押釦６１２から指を離すと、突起６１３の先端が、フレーム６３０の内側の面である摺動面６３４ａ（図１０参照）に圧接した状態となる。また、アーム６０９ａの先端に形成されたボス６１０ａが、ガイド溝６３１の下端に形成された受け部６３３に軸受けされた状態となることで、スタッカ基部６０３の差し込み位置が規定される。この状態から、スタッカ基部６０３を傾斜姿勢となる方向（排紙スタッカ６０１の傾斜角度が緩やかになる方向（寝る方向））に外力を付与すると、スタッカ基部６０３は、ボス６１０ａを揺動軸として揺動し、これに伴ってボス６１４ａがガイド溝６３１と交差する様に形成されたガイド溝６３５に入り込み、やがてガイド溝６３５の先端（図示せず）に当接してスタッカ基部６０３の揺動動作（傾斜角度）が規制される。即ち、ボス６１０ａ、６１４ａ及び受け部６３３、ガイド溝６３５の先端（図示せず）が、排紙スタッカ６０１を傾斜姿勢に支持する支持手段となる。
【００６１】
そしてこのとき、突起６１３は、スタッカ基部６０３の揺動動作に伴ってその先端が摺動面６３４ａに圧接しながら摺動し、やがて摺動面６３４ａから外れて図７に示す様なスタッカ基部６０３の側面から突出した状態となる。この状態において、突起６１３の側面は、図１０に示す様に摺動面６３４ａの端部に接続し摺動面６３４ａと交差する被係合面６３４ｂと係合可能な状態となり、これによって、排紙スタッカ６０１が揺動しないロック状態となる。尚、当該ロック状態から排紙スタッカ６０１を取り外すには、押釦６１２を押圧して突起６１３を没状態とし、ロックを解除した上で、上述と逆の手順によって取り外すことが可能となる。
【００６２】
以下、上記ロック装置の作用効果について図を参照しながら説明する。排紙スタッカ６０１は図１に示す様に傾斜姿勢で設けられ、後方に突出した状態となっている為、プリンタ１後方のスペースを多く必要とすることになる。そして、ユーザが例えば排紙スタッカ６０１に配慮せずにプリンタ１を後方側に移動させると、傾斜姿勢の排紙スタッカ６０１が後方側に存在する壁等に突き当たり、排紙スタッカ６０１が垂直方向に揺動してしまう場合がある。
【００６３】
図４において仮想線で示すスタッカ基部６０３及び補助スタッカ６０５は、垂直方向に揺動した状態を示すものである。図示する様にこの状態においてはＦｕ排出経路から排出される用紙Ｐは排紙スタッカ６０１に当接し、これによってフロントテンションが発生して記録品質を低下させる虞がある。また、図５に示す様に両面記録実行の為に用紙反転部４を搬送する際には用紙搬送経路の状態が変化し、バックテンションが増加して適切な搬送動作が行えない虞もある。一方で、排紙スタッカ６０１を完全なロック状態とすると、排紙スタッカ６０１を破損してしまう虞がある。
【００６４】
そこで、本実施形態においては、排紙スタッカ６０１のロック状態において排紙スタッカ６０１が垂直姿勢となる方向に外力を付与する際に、当該外力の臨界点以下では、突起６１３の側面６１３ａ（図１０参照）と被係合面６３４ｂとの間の係合状態が変化せず排紙スタッカ６０１の傾斜角度が一定に維持され、前記外力が臨界点を超えると、突起６１３の側面６１３ａと被係合面６３４ｂとの間の係合状態が顕著な係合解除音とともに即座に解除されて、突起６１３が没状態となって排紙スタッカ６０１が揺動する様に構成されている。
【００６５】
即ち、突起６１３が、前記外力が臨界点を超えることで瞬時に没状態となるので、このとき、突起６１３が被係合面６３４ｂと摺動面６３４ａとの交差部分（図１０の符号ｃで示す部分）を通過する時に摩擦音が発生するとともに、突起６１３は突出方向に付勢されているので、当該付勢力によって摺動面６３４ａに衝突し、当該衝突音が発生する。これらが即ち係合解除音となって、排紙スタッカ６０１が非ロック状態となったことをユーザに認識させることができる。この様な係合解除音は、突起６１３が徐々に没状態となるのではなく、前記外力が臨界点を超えることで、瞬時に没状態となることによって発生する。そして、これにより、排紙スタッカ６０１が正しい傾斜姿勢に無い状態のまま記録動作が実行されることを防止して、適切な記録実行結果を得ることができる。加えて、前記外力が臨界点を超えると排紙スタッカ６０１のロック状態が解除されて当該排紙スタッカが揺動することから、排紙スタッカ６０１を破損させることもない。
【００６６】
尚、本実施形態においては、図１０に示す様に、被係合面６３４ｂが、突起６１３の側面６１３ａに交差する様な傾斜面（側面６１３ａとの成す角度α）によって形成されている。これは、前記外力によって突起６１３が容易に被係合面６３４ｂを滑って没状態となることができる様な傾斜面、即ち図１０とは逆方向に傾斜する傾斜面であると、突起６１３と被係合面６３４ｂとの係合状態が徐々に解除されることになって、前記係合解除音が発生しないか或いは発生しても僅かな程度となるからである。
【００６７】
従って図１０に示す様な角度αを設けることにより、前記外力を付与した場合でも、突起６１３が被係合面６３４ｂ上を容易に滑って没状態となることがなく、確実に前記係合解除音を発生させることができる。ここで、本実施形態においては、図１０に示す角度αは約４．６°、寸法βは約１．６ｍｍに設定している。この様な寸法は、例えば角度αを０°から０．５°刻み或いは１°刻みで変化させ、実際に係合解除音を発生させることで、最適な条件を得ることが可能となる。
尚、本発明の一実施形態として排紙スタッカ６０１をロックするロック装置について説明したが、例えば排紙スタッカ６０１が給紙スタッカであり、当該給紙スタッカをロックするロック装置においても、同様な作用効果を得ることが可能となる。
【図面の簡単な説明】
【図１】本発明に係るプリンタの外観斜視図である。
【図２】本発明に係るプリンタの側断面概略図である。
【図３】図２の部分拡大図である。
【図４】図２の部分拡大図である。
【図５】図２の部分拡大図である。
【図６】図１の部分拡大図である。
【図７】図６の部分拡大図である。
【図８】排紙スタッカの外観斜視図である。
【図９】レバー部材の外観斜視図である。
【図１０】レバー部材及び被係合部の断面図である。
【符号の説明】
１  インクジェットプリンタ、１ａ  装置本体、２  給紙部、３  オプション給紙ユニット、４  反転部、５  フェイスダウン排出部、６  フェイスアップ排出部、１１  記録部、２０、２１  給紙ローラ、２２、２３  リバースローラ、２４、２５  ピックアップローラ、２６  搬送従動ローラホルダ、２８  搬送駆動ローラ、２９  搬送従動ローラ、３２  記録部下流側駆動ローラ、３３  記録部下流側従動ローラ、３５ａ、３５ｂ  記録部補助ローラ、３７  屈曲ローラ、４１  Ｆｄ排出駆動ローラ、４３  Ｆｄ排出従動ローラ、４５  Ｆｕ排出駆動ローラ、４７  Ｆｕ排出従動ローラ、５１  ガイド駆動ローラ、５２  可動ガイド従動ローラ、５３  ガイド駆動ローラ、５４  ガイド従動ローラ、５５  反転駆動ローラ、５７  反転従動ローラ、５９  ガイドローラ、６５  プラテン、８０  押圧部材、１００  インクジェット記録ヘッド、１０１  キャリッジ、１０３  キャリッジガイド軸、１０５  インクカートリッジ、１０７  カートリッジＩＣ、１１０  カートリッジ取付フレーム、１５０  上部カバー、１５１  カートリッジカバー、２００  給紙カセット、２０３  ホッパ、５００  Ｆｄ用紙排出口、５０３  Ｆｄ／Ｆｕ切替部材、６００  Ｆｕ用紙排出口、６０１  排紙スタッカ、６０３  スタッカ基部、６０５  補助スタッカ、６０７  補助スタッカ、６０９  アーム、６１０  ボス、６１１  レバー部材、６１２  押釦、６１３  突起、６１５  押圧ばね、６３０  フレーム、６３１  ガイド溝、６３２  カバー、６３３  受け部、６３４ａ  摺動面、６３４ｂ  被係合面、６３５  ガイド溝、Ｐ  記録用紙
【図１】
2004307144.tif 000003
【図２】
2004307144.tif 000004
【図３】
2004307144.tif 000005
【図４】
2004307144.tif 000006
【図５】
2004307144.tif 000007
【図６】
2004307144.tif 000008
【図７】
2004307144.tif 000009
【図８】
2004307144.tif 000010
【図９】
2004307144.tif 000011
【図１０】
2004307144.tif 000012